【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
マーキングエンジンと、
スキャンエンジンと、
前記マーキングエンジン及び前記スキャンエンジンを制御するコントローラと、
前記マーキングエンジンと前記コントローラとに接続され、前記コントローラからの指示に応じ、前記コントローラから印刷データを受け取り、前記マーキングエンジンにその印刷データのハードコピーを生成させる印刷サービスモジュールと、
前記スキャンエンジンと前記コントローラとに接続され、前記コントローラからの指示に応じ、前記スキャンエンジンからスキャンデータを受け取って前記コントローラへと送信するスキャンサービスモジュールと、
前記スキャンエンジンと前記マーキングエンジンと前記コントローラとに接続され、前記スキャンエンジンからの入力を受け取り、その入力のハードコピーを前記マーキングエンジンに生成させるコピーサービスモジュールと、
前記コントローラに制御されたデータの入力及び出力のための少なくとも１つのデータポートと、
前記コントローラに制御され、前記印刷データ、前記スキャンデータ、及び処理のために必要なファイルを記憶可能な記憶媒体と、
支払受付モジュールと、
を備える多機能装置。
【請求項２】
請求項１記載の多機能装置であって、前記少なくとも１つのデータポートにはシリアルデータポートが含まれ、前記コントローラが、前記シリアルデータポートと、通信相手の別の装置のシリアルデータポートと、を介して該別の装置と通信することにより、該別の装置の周辺機器のように振る舞うことを特徴とする多機能装置。
【請求項３】
請求項１記載の多機能装置であって、前記少なくとも１つのデータポートにはパラレルデータポートが含まれ、前記コントローラが、前記パラレルデータポートと、通信相手の別の装置のパラレルデータポートと、を介して該別の装置と通信することにより、該別の装置の周辺機器のように振る舞うことを特徴とする多機能装置。
【請求項４】
コントローラと、
該コントローラに制御されるマーキングエンジン及びスキャンエンジンと、
前記マーキングエンジン及び前記スキャンエンジンに接続され、前記コントローラに制御された印刷サービスモジュール、スキャンサービスモジュール、及びコピーサービスモジュールと、
前記コントローラに制御されたデータの入力及び出力のための少なくとも１つのデータポートと、
前記コントローラに制御され、前記印刷データ、前記スキャンデータ、及び処理のために必要なファイルを記憶可能な記憶媒体と、
を備え、
前記印刷サービスモジュールは、前記コントローラから印刷データを受け取り、前記マーキングエンジンにその印刷データのハードコピーを生成させ、
前記スキャンサービスモジュールは、前記スキャンエンジンからスキャンデータを受け取って前記コントローラへと送信し、
前記コピーサービスモジュールは、前記スキャンエンジンからの入力を受け取り、その入力のハードコピーを前記マーキングエンジンに生成させ、
前記少なくとも１つのデータポートには、
少なくとも１つのユーザ検知器、
少なくとも１つのオーディオ入力ポート、
少なくとも１つのオーディオ出力ポート、
少なくとも１つのビデオ入力ポート、
少なくとも１つのネットワーク接続ポート、
が含まれる、
ことを特徴とする多機能装置。
【請求項５】
多機能装置であって、
コントローラと、
前記コントローラ上で実行され、ユーザが該多機能装置とインタラクティブな処理を行う際に用いられる複数のユーザインタフェース要素を含んだユーザインタフェース部と、
前記ユーザインタフェース要素とデータを表示可能な少なくとも１つのディスプレイ装置と、
少なくとも１つのポインティングデバイスと、
少なくとも１つのテキスト入力装置と、
前記コントローラに制御されたマーキングエンジン、スキャンエンジン、及びファクシミリ送信エンジンと、
前記マーキングエンジン、前記スキャンエンジン及び前記ファクシミリ送信エンジンに接続され、前記コントローラに制御された印刷サービスモジュール、スキャンサービスモジュール、コピーサービスモジュール、及びファクシミリサービスモジュールと、
前記コントローラに制御されたデータの入力及び出力のための少なくとも１つのデータポートと、
前記コントローラにより制御され、それぞれ異なるオーディオ機能を表す複数のユーザインタフェース要素を備える前記ユーザインタフェース部に従って動作するオーディオデータ取扱モジュールと、
前記コントローラに制御され、前記印刷データ、前記スキャンデータ、及び処理のために必要なファイルを記憶可能な記憶媒体と、
前記印刷サービスモジュールは、前記コントローラから印刷データを受け取り、前記マーキングエンジンにその印刷データのハードコピーを生成させ、
前記スキャンサービスモジュールは、前記スキャンエンジンからスキャンデータを受け取って前記コントローラへと送信し、
前記コピーサービスモジュールは、前記スキャンエンジンからの入力を受け取り、その入力のハードコピーを前記マーキングエンジンに生成させ、
前記ファクシミリサービスモジュールは、前記スキャンエンジンからの入力を受け取り、その入力を前記ファクシミリ送信エンジンを介してファクシミリ送信し、
前記少なくとも１つのデータポートには、
少なくとも１つのユーザ検知器、
少なくとも１つのオーディオ入力ポート、
少なくとも１つのオーディオ出力ポート、
少なくとも１つのビデオ入力ポート、
少なくとも１つの電話サービス接続ポート、
少なくとも１つのネットワーク接続ポート、
が含まれる、
ことを特徴とする多機能装置。
【請求項６】
請求項５記載の多機能装置であって、カメラと、該カメラに接続され前記コントローラに制御されるビデオモジュールとを備え、前記ビデオモジュールは、異なる複数のビデオ機能を表す複数のユーザインタフェース要素を含んだユーザインタフェース部を備える、ことを特徴とする多機能装置。
【請求項７】
請求項５記載の多機能装置であって、前記少なくとも１つのネットワーク接続ポートには少なくとも１つの無線ネットワーク接続ポートが含まれ、該無線ネットワーク接続ポートは、他の装置の無線ネットワーク接続ポートと選択的に通信可能である、ことを特徴とする多機能装置。
【請求項８】
請求項５記載の多機能装置であって、前記コントローラは、前記少なくとも１つのディスプレイ装置が使用されていない間、そのディスプレイ装置に広告を表示する、ことを特徴とする多機能装置。
【手続補正２】
【補正対象書類名】明細書
【補正対象項目名】０００６
【補正方法】変更
【補正の内容】
【０００６】
本発明に係る多機能装置は、マーキングエンジンと、スキャンエンジンと、前記マーキングエンジン及び前記スキャンエンジンを制御するコントローラと、前記マーキングエンジンと前記コントローラとに接続され、前記コントローラからの指示に応じ、前記コントローラから印刷データを受け取り、前記マーキングエンジンにその印刷データのハードコピーを生成させる印刷サービスモジュールと、前記スキャンエンジンと前記コントローラとに接続され、前記コントローラからの指示に応じ、前記スキャンエンジンからスキャンデータを受け取って前記コントローラへと送信するスキャンサービスモジュールと、前記スキャンエンジンと前記マーキングエンジンと前記コントローラとに接続され、前記スキャンエンジンからの入力を受け取り、その入力のハードコピーを前記マーキングエンジンに生成させるコピーサービスモジュールと、前記コントローラに制御されたデータの入力及び出力のための少なくとも１つのデータポートと、前記コントローラに制御され、前記印刷データ、前記スキャンデータ、及び処理のために必要なファイルを記憶可能な記憶媒体と、支払受付モジュールと、を備える。
１つの態様では、ファクシミリ送信エンジンと、前記コントローラに制御された前記スキャンエンジンと前記ファクシミリ送信エンジンとに接続されたファクシミリモジュールとを備え、前記ファクシミリモジュールが、前記スキャンエンジンからの入力を受け取り、その入力を前記ファクシミリ送信エンジンを介してファクシミリとして送信することを特徴とする。
別の態様では、この多機能装置の前記少なくとも１つのデータポートには無線データポートが含まれることを特徴とする。
別の態様では、その多機能装置の前記少なくとも１つのデータポートにはイーサーネットポートが含まれることを特徴とする。
別の態様ではその多機能装置は、更に、ユーザにインターネット・アクセスを可能とするインターネットアクセスモジュールを備えることを特徴とする。